(57)【要約】【課題】定期券購入システム、駅システム、及び自動改札機を提供することである。【解決手段】実施形態の定期券購入システムは、定期券管理サーバと、自動改札機を含む駅システムとを持つ。前記定期券管理サーバの送信部は、購入処理が完了したＩＣカード定期券の識別情報及び購入された内容を示す内容情報を、前記駅システムへ送信する。前記自動改札機の通信部は、利用者のＩＣカード定期券と通信することにより、ＩＣカード定期券からの情報の読み取りと、ＩＣカード定期券への情報の書き込みとを行う。前記自動改札機の制御部は、前記通信部により読み取られた利用者のＩＣカード定期券の識別情報と、前記送信部から送信されたＩＣカード定期券の識別情報とが一致する場合、利用者のＩＣカード定期券に前記送信部から送信された内容情報を書き込むように前記通信部を制御する。【選択図】図１
2015164011.tif 000002
【特許請求の範囲】
【請求項１】
定期券管理サーバと、自動改札機を含む駅システムとを備える定期券購入システムであって、
前記定期券管理サーバは、
購入処理が完了したＩＣカード定期券の識別情報及び購入された内容を示す内容情報を、前記駅システムへ送信する送信部を備え、
前記自動改札機は、
利用者のＩＣカード定期券と通信することにより、ＩＣカード定期券からの情報の読み取りと、ＩＣカード定期券への情報の書き込みとを行う通信部と、
前記通信部により読み取られた利用者のＩＣカード定期券の識別情報と、前記送信部から送信されたＩＣカード定期券の識別情報とが一致する場合、利用者のＩＣカード定期券に前記送信部から送信された内容情報を書き込むように前記通信部を制御する制御部と、を備える、
定期券購入システム。
【請求項２】
前記ＩＣカード定期券の内容情報は、利用区間に関する情報を含み、
前記定期券管理サーバの前記送信部は、前記利用区間内の全ての駅の駅システムに、購入処理が完了したＩＣカード定期券の識別情報及び内容情報を送信する、請求項１記載の定期券購入システム。
【請求項３】
前記駅システムは、前記通信部による内容情報の書き込みが完了したＩＣカード定期券の識別情報を前記定期券管理サーバへ送信する、請求項１または２記載の定期券購入システム。
【請求項４】
前記定期券管理サーバの前記送信部は、前記内容情報の書き込みが完了したＩＣカード定期券の識別情報を受信したことに応じて、前記内容情報の書き込みを行った自動改札機を含む駅システム以外の駅システムに、前記内容情報の書き込みが完了したＩＣカード定期券の識別情報を送信する、請求項３記載の定期券購入システム。
【請求項５】
前記自動改札機は、前記定期券管理サーバの前記送信部から送信された、購入処理が完了した複数のＩＣカード定期券の識別情報及び内容情報を記憶する記憶部を更に備える、請求項１乃至４のいずれか１項に記載の定期券購入システム。
【請求項６】
前記制御部は、利用者のＩＣカード定期券に前記送信部から送信された内容情報を書き込むように前記通信部を制御した後、前記記憶部に記憶された複数のＩＣカード定期券の識別情報及び内容情報のうち、内容情報の書き込みが完了したＩＣカード定期券の識別情報及び内容情報を削除する、請求項５記載の定期券購入システム。
【請求項７】
前記制御部は、前記通信部により読み取られたＩＣカード定期券の識別情報と、前記定期券管理サーバの前記送信部から送信されたＩＣカード定期券の識別情報とが一致しない場合、利用者のＩＣカード定期券に前記定期券管理サーバの前記送信部から送信された内容情報を書き込まないように前記通信部を制御する、請求項１記載の定期券購入システム。
【請求項８】
定期券管理サーバとネットワークを介して接続され、駅サーバと自動改札機とを含む駅システムであって、
前記駅サーバは、
前記定期券管理サーバから購入処理が完了したＩＣカード定期券の識別情報及び購入された内容を示す内容情報を受信する受信部と、
前記受信部により受信されたＩＣカード定期券の識別情報及び内容情報を前記自動改札機に送信する送信部と、を備え、
前記自動改札機は、
利用者のＩＣカード定期券と通信することにより、ＩＣカード定期券からの情報の読み取りと、ＩＣカード定期券への情報の書き込みとを行う通信部と、
前記通信部により読み取られた利用者のＩＣカード定期券の識別情報と、前記送信部から送信されたＩＣカード定期券の識別情報とが一致する場合、利用者のＩＣカード定期券に前記送信部から送信された内容情報を書き込むように前記通信部を制御する制御部と、を備える、
駅システム。
【請求項９】
利用者のＩＣカード定期券と通信することにより、ＩＣカード定期券からの情報の読み取りと、ＩＣカード定期券への情報の書き込みとを行う通信部と、
購入処理が完了したＩＣカード定期券の識別情報及び購入された内容を示す内容情報を受信する受信部と、
前記通信部により読み取られた利用者のＩＣカード定期券の識別情報と、前記受信部により受信されたＩＣカード定期券の識別情報とが一致する場合、利用者のＩＣカード定期券に前記受信部により受信された内容情報を書き込むように前記通信部を制御する制御部と、を備える、
自動改札機。
【発明の詳細な説明】
【技術分野】
【０００１】
本発明の実施形態は、定期券購入システム、駅システム、及び自動改札機に関する。
【背景技術】
【０００２】
交通機関の利用者が駅の自動改札機を通過するための定期券として、磁気定期券の他にＩＣ（Integrated Circuit）カード定期券が用いられている。ＩＣカード定期券の購入処理は、駅の券売機または駅係員窓口で実施されている。
【０００３】
券売機でＩＣカード定期券を購入する場合、利用者は券売機の入力画面に、「乗車駅」、「降車駅」、「有効期間」、「使用開始日」、「氏名」、「生年月日」、及び「電話番号」等の情報を入力した後、現金（またはクレジットカード）で清算するといった時間のかかる手順が必要であった。
【０００４】
また、駅係員窓口でＩＣカード定期券を購入する場合、利用者は窓口に備え付けの継続購入用紙に、「乗車駅」、「降車駅」、「有効期間」、「使用開始日」、「氏名」、「生年月日」、及び「電話番号」等の情報を記入し、購入用紙と現金（またはクレジットカード）を窓口の駅係員に渡していた。その後、駅係員は、購入用紙に基づいて定期券発行機を操作し、ＩＣカード定期券の購入処理を行っていた。このように、駅係員窓口を利用した場合であっても、ＩＣカード定期券の購入には長い時間がかかってしまう場合があった。
【０００５】
このため、朝の通勤ラッシュ時等の時間帯では、券売機や駅係員窓口が混雑し、ＩＣカード定期券の購入に時間がかかり、利用者の利便性が損なわれる場合があった。
【先行技術文献】
【特許文献】
【０００６】
【特許文献１】特開２００５−２３４８７０号公報
【発明の概要】
【発明が解決しようとする課題】
【０００７】
本発明が解決しようとする課題は、ＩＣカード定期券の購入時における利用者の利便性を向上することができる定期券購入システム、駅システム、及び自動改札機を提供することである。
【課題を解決するための手段】
【０００８】
実施形態の定期券購入システムは、定期券管理サーバと、自動改札機を含む駅システムとを持つ。前記定期券管理サーバの送信部は、購入処理が完了したＩＣカード定期券の識別情報及び購入された内容を示す内容情報を、前記駅システムへ送信する。前記自動改札機の通信部は、利用者のＩＣカード定期券と通信することにより、ＩＣカード定期券からの情報の読み取りと、ＩＣカード定期券への情報の書き込みとを行う。前記自動改札機の制御部は、前記通信部により読み取られた利用者のＩＣカード定期券の識別情報と、前記送信部から送信されたＩＣカード定期券の識別情報とが一致する場合、利用者のＩＣカード定期券に前記送信部から送信された内容情報を書き込むように前記通信部を制御する。
【図面の簡単な説明】
【０００９】
【図１】定期券購入システムの構成を模式的に示す図である。
【図２】定期券購入システムの構成の一例を示すブロック図である。
【図３】自動改札機の構成の一例を示す図である。
【図４】コンピュータ１００における、ＩＣカード定期券Ｔの購入処理の一例を示すフローチャートである。
【図５】定期券管理サーバ２００における、ＩＣカード定期券Ｔの購入処理の一例を示すフローチャートである。
【図６】定期券管理サーバ２００と、各駅システム３００Ａ〜３００Ｃとの間の情報伝達の一例を示す図である。
【図７】第１の実施形態における、ＩＣカード定期券Ｔの更新時の駅サーバ３１０Ａの処理の一例を示すフローチャートである。
【図８】第１の実施形態における、ＩＣカード定期券Ｔの更新時の自動改札機３３０Ａの処理の一例を示すフローチャートである。
【図９】第２の実施形態における、ＩＣカード定期券Ｔの更新時の駅サーバ３１０Ａの処理の一例を示すフローチャートである。
【図１０】第２の実施形態における、ＩＣカード定期券Ｔの更新時の自動改札機３３０Ａの処理の一例を示すフローチャートである。
【発明を実施するための形態】
【００１０】
以下、実施形態の定期券購入システム、駅システム、及び自動改札機を、図面を参照して説明する。
【００１１】
（第１の実施形態）
図１は、定期券購入システムの構成を模式的に示す図である。図１において、ＩＣカード定期券の購入者のコンピュータ１００、定期券管理サーバ２００、駅Ａに設けられた駅システム３００Ａ、駅Ｂに設けられた駅システム３００Ｂ、及び駅Ｃに設けられた駅システム３００Ｃが、ネットワーク１０に接続されている。ここでは、一例として駅Ａ〜駅Ｃの駅システムについて示したが、実際には駅Ａ〜駅Ｃ以外の各駅にも駅システムが構築されている。
【００１２】
駅システム３００Ａには、ネットワーク１０に接続された駅サーバ３１０Ａと、ＬＡＮ（Local Area Network）３２０Ａを介して駅サーバ３１０Ａに接続された自動改札機３３０Ａ及び３４０Ａとが設置されている。本実施形態におけるネットワーク１０は、インターネット、ＬＡＮ、公衆回線、及び携帯電話網等のいずれかを含む。
【００１３】
駅システム３００Ｂには、ネットワーク１０に接続された駅サーバ３１０Ｂと、ＬＡＮ３２０Ｂを介して駅サーバ３１０Ｂに接続された自動改札機３３０Ｂ及び３４０Ｂとが設置されている。
【００１４】
駅システム３００Ｃには、ネットワーク１０に接続された駅サーバ３１０Ｃと、ＬＡＮ３２０Ｃを介して駅サーバ３１０Ｃに接続された自動改札機３３０Ｃ及び３４０Ｃとが設置されている。なお、各駅に備えられる自動改札機は２つに限られず、改札口の数及び改札口の規模に応じて複数の自動改札機が設置される。
【００１５】
図２は、定期券購入システムの構成の一例を示すブロック図である。ＩＣカード定期券の購入者のコンピュータ１００は、例えば、制御部１０１、表示部１０２、及び入力部１０３を備える。入力部１０３は、キーボードやマウス等を含む。また、定期券管理サーバ２００は、制御部２０１及び記憶部２０２を備える。
【００１６】
定期券管理サーバ２００は、コンピュータ１００、駅Ａの駅システム３００Ａ、駅Ｂの駅システム３００Ｂ、駅Ｃの駅システム３００Ｃ、及び決済代行サーバ４００とネットワーク１０を介して接続されている。
【００１７】
駅システム３００Ａにおいて、駅サーバ３１０Ａは、制御部３１１Ａ、及び記憶部３１２Ａを備える。自動改札機３３０Ａは、制御部３３８Ａ、記憶部３３９Ａ、及び通信部３３２Ａを備える。自動改札機３４０Ａは、制御部３４８Ａ、記憶部３４９Ａ、及び通信部３４２Ａを備える。なお、駅システム３００Ｂ及び３００Ｃの構成についても、駅システム３００Ａの構成と同様であるため説明を省略する。
【００１８】
図３は、自動改札機の構成の一例を示す図である。図３では、駅Ａの自動改札機３３０Ａ及び３４０Ａの構成を例に説明するが、他の駅の自動改札機も同様の構成である。自動改札機３３０Ａ及び３４０Ａは、駅構内への入場の際には入場機として使用され、駅構内からの出場の際には出場機として使用される。
【００１９】
まず、自動改札機３３０Ａが入場機として使用される場合の説明を行う。自動改札機３３０Ａには、磁気乗車券を投入する投入部３３１Ａ、及びＩＣカード定期券Ｔと非接触通信を行う通信部３３２Ａが設けられている。通信部３３２Ａは、非接触通信でＩＣカード定期券Ｔに対して読取り及び書込みを行うことができる。また、自動改札機３３０Ａには、磁気乗車券を排出する排出部３３３Ａ及び案内表示部３３４Ａが設けられている。
【００２０】
磁気乗車券が投入部３３１Ａに投入されると、自動改札機３３０Ａの内部に設けられた不図示の磁気読取部３３７Ａによって、磁気乗車券に磁気記録された乗車情報（乗車日付、乗車区間、大人／小児等）が読み取られる。読み取られた乗車情報に基づき、自動改札機３３０Ａの内部に設けられた制御部３３８Ａは、自動改札機３３０Ａの進入方向（利用者が進入する方向）前方に配置されたゲート３３５Ａの開閉を行う。
【００２１】
ＩＣカード定期券Ｔが通信部３３２Ａにかざされると、ＩＣカード定期券Ｔに保持されている識別情報（定期券ＩＤ）及び内容情報（利用期間、利用区間、経由駅等）が非接触で読み取られる。識別情報は、ＩＣカード定期券ごとに異なる番号が付与されている。通信部３３２Ａにより読み取られた識別情報に基づき、制御部３３８ＡはＩＣカード定期券Ｔの認証を行う。すなわち、制御部３３８Ａは、記憶部３３９Ａに予め記憶されている登録情報を参照して、利用できるＩＣカード定期券として登録されているかどうかの認証を行う。また、制御部３３８Ａは、ＩＣカード定期券Ｔから読み取られた内容情報に基づき、期限切れになっていないか等の判定を行う。
【００２２】
制御部３３８Ａは、ＩＣカード定期券Ｔの識別情報の認証結果及び内容情報の判定結果に基づいて、ＩＣカード定期券Ｔを所有する利用者の入場の可否を判定する。この判定結果に基づき利用者の入場が認められる場合、通信部３３２ＡはＩＣカード定期券Ｔに入場情報（入場時間、乗車駅等）を書き込む。そして、制御部３３８Ａは、自動改札機３３０Ａの進入方向前方に配置されたゲート３３５Ａを開く。
【００２３】
一方、利用者の入場が認められない場合、制御部３３８Ａは自動改札機３３０Ａの進入方向前方に配置されたゲート３３５Ａを閉じる。そして、案内表示部３３４Ａに入場が認められない理由（例えば、定期券の期限切れ等）が表示される。なお、ゲート３３５Ａの開閉に連動して、ゲート３３５Ａに対向する位置に設けられた自動改札機３４０Ａのゲート３４５Ａ（不図示）も開閉する。
【００２４】
次に、自動改札機３４０Ａが出場機として使用される場合の説明を行う。自動改札機３４０Ａには、磁気乗車券を投入する投入部３４１Ａ及びＩＣカード定期券Ｔと非接触通信を行う通信部３４２Ａが設けられている。通信部３４２Ａは、非接触通信でＩＣカード定期券Ｔに対して読取り及び書込みを行うことができる。また、自動改札機３４０Ａには、磁気乗車券を排出する排出部３４３Ａ及び案内表示部３４４Ａが設けられている。
【００２５】
磁気乗車券が投入部３４１Ａに投入されると、自動改札機３４０Ａの内部に設けられた不図示の磁気読取部３４７Ａによって、磁気乗車券に磁気記録された乗車情報（乗車日付、乗車区間、大人／小児等）が読み取られる。読み取られた乗車情報は、自動改札機３４０Ａの内部に設けられた制御部３４８Ａによって判定される。制御部３４８Ａは、当該判定結果に基づいて自動改札機３４０Ａの進入方向前方に配置された不図示のゲート３４６Ａの開閉を行う。
【００２６】
ＩＣカード定期券Ｔが通信部３４２Ａにかざされると、ＩＣカード定期券Ｔに保持されている識別情報（定期券ＩＤ）、内容情報（利用期間、利用区間、経由駅等）、及び入場情報（入場時間、乗車駅等）が非接触で読み取られる。通信部３４２Ａにより読み取られた識別情報に基づき、制御部３４８Ａは前述したＩＣカード定期券Ｔの認証を行う。また、制御部３４８Ａは、ＩＣカード定期券Ｔから読み取られた内容情報及び入場情報に基づき、例えば利用区間外での降車であるか等の判定を行う。
【００２７】
制御部３４８Ａは、ＩＣカード定期券Ｔの内容情報及び入場情報の判定結果に基づいて、ＩＣカード定期券Ｔを所有する利用者の出場の可否を判定する。この判定結果に基づき利用者の出場が認められる場合、通信部３４２ＡはＩＣカード定期券Ｔの入場情報（入場時間、乗車駅等）を消去する。そして、制御部３４８Ａは、自動改札機３４０Ａの進入方向前方に配置されたゲート３４６Ａ（不図示）を開く。
【００２８】
一方、利用者の出場が認められない場合、制御部３４８Ａは自動改札機３４０Ａの進入方向前方に配置されたゲート３４６Ａ（不図示）を閉じる。そして、案内表示部３４４Ａに入場が認められない理由（例えば、利用区間外での降車等）が表示される。なお、ゲート３４６Ａ（不図示）の開閉に連動して、ゲート３４６Ａに対向する位置に設けられた自動改札機３３０Ａのゲート３３６Ａも開閉する。
【００２９】
なお、制御部１０１、２０１、３１１Ａ、３３８Ａ、及び３４８Ａは、それぞれＣＰＵ（Central Processing Unit）等のプロセッサと、プロセッサが実行するプログラムを格納するメモリとを備える。なお、これらの制御部は、ＬＳＩ（Large Scale Integration）やＡＳＩＣ（Application Specific Integrated Circuit）等のハードウェアであってもよい。
【００３０】
図４は、コンピュータ１００における、ＩＣカード定期券Ｔの購入処理の一例を示すフローチャートである。このフローチャートは、コンピュータ１００の制御部１０１で実行される。また、図５は、定期券管理サーバ２００における、ＩＣカード定期券Ｔの購入処理の一例を示すフローチャートである。このフローチャートは、定期券管理サーバ２００の制御部２０１で実行される。これらの図を用いて、購入者がＩＣカード定期券Ｔを購入する場合の処理について説明する。
【００３１】
まず、購入者はコンピュータ１００のブラウザを起動し、入力部１０３を用いて定期券購入サイトのアドレスを入力する。これによって、定期券管理サーバ２００に設けられている定期券購入サイトにアクセスすることができ、表示部１０２に定期券購入サイトが表示される。
【００３２】
定期券購入サイトでは、最初にＩＣカード定期券Ｔの識別情報の入力画面が表示される。この画面上で、購入者は所有するＩＣカード定期券Ｔの識別情報を入力する。識別情報は、ＩＣカード定期券Ｔに刻印されている。ＩＣカード定期券Ｔの識別情報が入力されると、制御部１０１は識別情報を定期券管理サーバ２００へ送信する（ステップＳ４０１）。
【００３３】
定期券管理サーバ２００の制御部２０１は、購入者のコンピュータ１００からＩＣカード定期券Ｔの識別情報を受信すると（ステップＳ５０１）、受信した識別情報に基づきＩＣカード定期券Ｔが有効かどうかを判定する（ステップＳ５０２）。ここで、定期券管理サーバ２００の記憶部２０２には、ＩＣカード定期券Ｔの紛失情報や盗難情報が登録されており、制御部２０１はこれらの登録情報に基づいて有効かどうかを判定する。例えば、受信した識別情報が、紛失した定期券または盗難にあった定期券の識別情報と一致する場合、制御部２０１は受信した識別情報は無効であると判定する。
【００３４】
ステップＳ５０２においてＩＣカード定期券Ｔが有効であると判定された場合、制御部２０１はコンピュータ１００に有効である旨の通知（有効通知）を行う（ステップＳ５０３）。ステップＳ５０２においてＩＣカード定期券Ｔが有効でないと判定された場合、制御部２０１はコンピュータ１００に無効である旨の通知（無効通知）を行い（ステップＳ５０４）、本フローチャートによる処理を終了する。
【００３５】
コンピュータ１００において、制御部１０１は有効通知を受信したかどうかを判定する（ステップＳ４０２）。ステップＳ４０２において有効通知を受信しなかった（無効通知を受信した）と判定された場合、制御部１０１は表示部１０２に表示されている識別情報の入力画面上に、ＩＣカード定期券Ｔが無効であることを通知するメッセージを表示する（ステップＳ４０３）。そして、再度識別情報の入力待ちとなる。
【００３６】
ステップＳ４０２において有効通知を受信したと判定された場合、制御部１０１はユーザ情報（氏名、電話番号等）と定期券の内容情報（利用期間、利用区間、経由駅等）の入力画面をコンピュータ１００の表示部１０２に表示する。この画面上から、購入者はユーザ情報と内容情報を入力する。入力が終わると、制御部１０１は定期券管理サーバ２００にユーザ情報と内容情報を送信する（ステップＳ４０４）。
【００３７】
次に、制御部１０１はコンピュータ１００の表示部１０２にクレジットカードの決済画面を表示する。この画面上から、購入者はクレジットカード情報（カード番号、有効期限等）を入力する。入力が終わると、制御部１０１は定期券管理サーバ２００にクレジットカード情報を送信する（ステップＳ４０５）。
【００３８】
一方、定期券管理サーバ２００において、制御部２０１はユーザ情報とＩＣカード定期券の内容情報を受信すると（ステップＳ５０５）、これらの情報を記憶部２０２に記憶する。ユーザ情報とＩＣカード定期券Ｔの内容情報は、ＩＣカード定期券Ｔの識別情報に関連付けて記憶される。
【００３９】
次に、制御部２０１はクレジットカード情報を受信すると（ステップＳ５０６）、受信したクレジットカード情報と購入代金を含めた決済情報を、決済代行サーバ４００に送信する（ステップＳ５０７）。決済代行サーバ４００は、購入者とクレジットカード会社との間でクレジットカードによる決済を代行するサーバである。決済代行サーバ４００によるネットワーク１０を介した決済は、ＳＳＬ等の暗号化通信により行われる。
【００４０】
次に、定期券管理サーバ２００の制御部２０１は、決済代行サーバ４００からクレジットカードの決済結果を受信する（ステップＳ５０８）。制御部２０１は、受信した決済結果に基づき、クレジットカードによる決済が完了したかどうかを判定する（ステップＳ５０９）。ステップＳ５０９において、クレジットカード情報に誤りがある等して決済が完了しなかったと判定された場合、制御部２０１はコンピュータ１００にクレジットカード情報の再入力通知を行う（ステップＳ５１０）。
【００４１】
ステップＳ５０９において決済が完了したと判定された場合、制御部２０１はコンピュータ１００に決済完了通知を行い（ステップＳ５１１）、本フローチャートによる処理を終了する。
【００４２】
一方、コンピュータ１００において、制御部１０１はクレジットカード情報の再入力通知を受信したかどうかを判定する（ステップＳ４０６）。ステップＳ４０６において再入力通知を受信したと判定された場合、制御部１０１は表示部１０２に再度クレジットカードの決済画面を表示するとともに、クレジットカード情報の再入力を要求するメッセージを表示する（ステップＳ４０７）。そして、再度クレジットカード情報の入力待ちとなる。
【００４３】
ステップＳ４０６において再入力通知を受信していないと判定された場合、制御部１０１は決済完了通知を受信したかどうかを判定する（ステップＳ４０８）。ステップＳ４０８において、決済完了通知を受信していないと判定された場合は、ステップＳ４０６の処理に戻る。
【００４４】
ステップＳ４０８において、決済完了通知を受信したと判定された場合、制御部１０１は表示部１０２に決済が完了した旨のメッセージを表示し（ステップＳ４０９）、本フローチャートによる処理を終了する。以上が、ＩＣカード定期券Ｔの購入処理の詳細な流れである。
【００４５】
図６は、定期券管理サーバ２００と、各駅システム３００Ａ〜３００Ｃとの間の情報伝達の一例を示す図である。この図を用いて、ＩＣカード定期券Ｔの更新処理の大まかな流れについて説明する。
【００４６】
図５のフローチャートで説明したＩＣカード定期券Ｔの購入処理が完了すると、定期券管理サーバ２００は、購入処理が完了したＩＣカード定期券Ｔの購入情報（識別情報、内容情報等）を、ＩＣカード定期券Ｔの利用区間内の各駅の駅システムに送信する。利用区間は、購入情報に含まれる内容情報を参照して判断される。
【００４７】
一例として、利用区間内の駅が駅Ａ、駅Ｂ、及び駅Ｃの３つである場合、定期券管理サーバ２００は、購入処理が完了したＩＣカード定期券Ｔの購入情報を駅システム３００Ａ、３００Ｂ、及び３００Ｃに送信する（ステップＳ６０１〜ステップＳ６０３）。
【００４８】
次に、駅システム３００Ａ内の自動改札機により、ＩＣカード定期券Ｔの更新処理が行われる場合を例に説明する。駅システム３００Ａの自動改札機により購入処理が完了したＩＣカード定期券Ｔが読み取られた場合、駅システム３００ＡにおいてＩＣカード定期券Ｔの更新処理が行われる（ステップＳ６０４）。
【００４９】
そして、駅システム３００Ａは購入情報の削除処理を行う（ステップＳ６０５）。その後、駅システム３００Ａは、ＩＣカード定期券Ｔの更新完了情報を定期券管理サーバ２００に送信する（ステップＳ６０６）。ステップＳ６０４〜ステップＳ６０６の処理についての詳細は、図７を用いて後述する。
【００５０】
定期券管理サーバ２００は、ＩＣカード定期券Ｔの更新完了情報を受信すると、更新完了情報を駅システム３００Ｂに送信する（ステップＳ６０７）。更新完了情報を受信した駅システム３００Ｂは、ステップＳ６０５と同様に購入情報の削除処理を行う（ステップＳ６０８）。
【００５１】
また、定期券管理サーバ２００は、更新完了情報を駅システム３００Ｃに送信する（ステップＳ６０９）。更新完了情報を受信した駅システム３００Ｃは、ステップＳ６０５及びステップＳ６０８と同様に購入情報の削除処理を行う（ステップＳ６１０）。以上が、ＩＣカード定期券Ｔの更新処理の大まかな流れである。
【００５２】
図７は、第１の実施形態における、ＩＣカード定期券Ｔの更新時の駅サーバ３１０Ａの処理の一例を示すフローチャートである。このフローチャートは、駅サーバＡの制御部３１１Ａにより実行される。図８は、第１の実施形態における、ＩＣカード定期券Ｔの更新時の自動改札機３３０Ａの処理の一例を示すフローチャートである。このフローチャートは、自動改札機３３０Ａの制御部３３８Ａにより実行される。これらのフローチャートを用いて、図６のステップＳ６０１、及びステップＳ６０４〜ステップＳ６０６の処理を具体的に説明する。
【００５３】
図７において、まず駅サーバ３１０Ａの制御部３１１Ａは、購入処理が完了したＩＣカード定期券Ｔの購入情報（識別情報、内容情報等）を定期券管理サーバ２００から受信したかどうかを判別する（ステップＳ７０１）。ステップＳ７０１における購入情報の受信は、図６のステップＳ６０１に対応する。
【００５４】
ステップＳ７０１において購入情報を受信したと判別された場合、制御部３１１Ａは、受信したＩＣカード定期券Ｔの購入情報を、駅システム３１０Ａ内の全ての自動改札機（自動改札機３３０Ａ及び３４０Ａ）に送信する（ステップＳ７０２）。ステップＳ７０１において購入情報を受信していないと判別された場合、またはステップＳ７０２の送信処理が完了した場合、制御部３１１Ａは後述するステップＳ７０３の処理に移行する。
【００５５】
図８において、自動改札機３３０Ａの制御部３３８Ａは、購入処理が完了したＩＣカード定期券Ｔの購入情報（識別情報、内容情報等）を駅サーバ３１０Ａから受信する（ステップＳ８０１）。そして、制御部３３８Ａは、受信した購入情報を記憶部３３９Ａに記憶する（ステップＳ８０２）。
【００５６】
次に、制御部３３８Ａは、通信部３３２ＡによりＩＣカード定期券Ｔの読み取りが完了するまで待機する（ステップＳ８０３）。ステップＳ８０３においてＩＣカード定期券Ｔの読み取りが完了したと判定された場合、制御部３３８Ａは、ステップＳ８０３で読み取ったＩＣカード定期券Ｔは購入処理が完了した定期券であるかどうかを判定する（ステップＳ８０４）。読み取りが完了したＩＣカード定期券Ｔの識別情報が、記憶部３３９Ａに記憶された購入処理が完了したＩＣカード定期券Ｔの識別情報と一致する場合、読み取りが完了したＩＣカード定期券Ｔの購入処理は完了している。
【００５７】
ステップＳ８０４において識別情報が一致すると判定されなかった場合、制御部３３８ＡはＩＣカード定期券Ｔの更新処理を行うことなく、通常のＩＣカード定期券処理を行う（ステップＳ８０８）。通常のＩＣカード定期券処理では、ＩＣカード定期券Ｔへの入場情報（入場時間、乗車駅等）の書き込み処理や、ＩＣカード定期券Ｔから読み取った内容情報に基づくゲートの開閉処理が行われる。
【００５８】
ステップＳ８０４において識別情報が一致すると判定された場合、制御部３３８ＡはＩＣカード定期券Ｔの内容情報を更新する（ステップＳ８０５）。ここで、制御部３３８Ａは通信部３３２Ａを制御し、購入情報に含まれている内容情報をＩＣカード定期券Ｔに上書きする。この処理によって、利用期間や利用区間といったＩＣカード定期券Ｔの内容情報が更新される。これによって、利用者は駅の券売機や駅係員窓口に並ばずにＩＣカード定期券Ｔを購入することができるため、利用者の利便性が向上する。
【００５９】
次に、制御部３３８Ａは、更新処理が完了したＩＣカード定期券Ｔの購入情報を、記憶部３３９Ａから削除する（ステップＳ８０６）。この削除処理によって、ＩＣカード定期券Ｔが読み取られる度に更新処理が行われるという無駄な処理を防止することができ、制御部３３８Ａの負荷を軽減することができる。
【００６０】
その後、制御部３３８Ａは、駅サーバ３１０Ａ及び他の自動改札機３４０Ａに、更新完了情報を送信する（ステップＳ８０７）。更新完了情報は、更新処理が完了したＩＣカード定期券Ｔの識別情報と、更新が完了した旨を示す情報とを含む。更新完了情報の送信が完了すると、前述のステップＳ８０８にて通常のＩＣカード定期券処理が行われる。
【００６１】
一方、駅サーバ３１０の制御部３１１Ａは、自動改札機３３０Ａから更新完了情報を受信したかどうかを判定する（ステップＳ７０３）。ステップＳ７０３において更新完了情報を受信したと判定された場合、制御部３１１Ａは定期券管理サーバ２００へ更新完了情報を送信し（ステップＳ７０４）、このフローチャートによる処理を終了する。ステップＳ７０４における更新完了情報の送信は、図６のステップＳ６０６に対応する。ステップＳ７０３において更新完了情報を受信したと判定されなかった場合、制御部３１１ＡはステップＳ７０１の処理に戻る。以上が、第２の実施形態におけるＩＣカード定期券Ｔの更新時の処理である。
【００６２】
なお、ステップ８０７において送信された更新完了情報を他の自動改札機３４０Ａが受信すると、自動改札機３４０Ａの制御部３４８Ａは、ステップＳ８０６と同様に、更新処理が完了したＩＣカード定期券Ｔの購入情報を、記憶部３４９Ａから削除する。この削除処理によって、更新処理が行われた自動改札機３３０Ａ以外の自動改札機３４０ＡにおいてもＩＣカード定期券Ｔの無駄な更新処理を防止することができ、制御部３４８Ａの負荷を軽減することができる。
【００６３】
また、ステップＳ７０４において送信された更新完了情報を定期券管理サーバ２００が受信すると、定期券管理サーバ２００は更新完了情報を他の駅システム３００Ｂ及び３００Ｃに送信する。これは、図６のステップＳ６０７及びＳ６０９に対応する。次に、更新完了情報を受信した駅システム３００Ｂ及び３００Ｃは、ＩＣカード定期券Ｔの購入情報を記憶部から削除する。これは、図６のステップＳ６０８及びＳ６１０に対応する。これらの処理によって、更新処理が行われた駅システム３００Ａ以外の駅システム３００Ｂ及び３００Ｃの制御部においてもＩＣカード定期券Ｔの無駄な処理を防止することができ、これらの制御部の負荷を軽減することができる。
【００６４】
本実施形態において、駅サーバ３１０はＩＣカード定期券Ｔの購入情報を駅システム３内の全ての自動改札機に送信するようにした。これによって、利用者が駅システム３００Ａ内のどの自動改札機でＩＣカード定期券Ｔを読み取らせたとしても、確実にＩＣカード定期券Ｔの更新を行うことができる。
【００６５】
（第２の実施形態）
第１の実施形態では、それぞれの自動改札機がＩＣカード定期券Ｔの購入情報を記憶部に記憶し、購入処理が完了した定期券かどうかの判定を行うようにした。第１の実施形態によれば、購入処理が完了した定期券かどうかの迅速な判定処理が可能であるが、それぞれの自動改札機にＩＣカード定期券Ｔの購入情報を記憶するための比較的大型の記憶部を設ける必要がある。
【００６６】
そこで、第２の実施形態では、駅サーバがＩＣカード定期券Ｔの購入情報を記憶する記憶部を備え、駅サーバが記憶部内の情報を検索することで、自動改札機で読み取ったＩＣカード定期券Ｔの購入処理が完了しているかどうかの判定を行う。これによって、それぞれの自動改札機に比較的大型の記憶部を設ける必要が無くなるので、コストダウンを図ることができる。以下、第２の実施形態について説明する。
【００６７】
図９は、第２の実施形態における、ＩＣカード定期券Ｔの更新時の駅サーバ３１０Ａの処理の一例を示すフローチャートである。このフローチャートは、駅サーバＡの制御部３１１Ａにより実行される。図１０は、第２の実施形態における、ＩＣカード定期券Ｔの更新時の自動改札機３３０Ａの処理の一例を示すフローチャートである。このフローチャートは、自動改札機３３０Ａの制御部３３８Ａにより実行される。これらのフローチャートを用いて、図６のステップＳ６０１、及びステップＳ６０４〜ステップＳ６０６の処理を具体的に説明する。
【００６８】
図９において、まず駅サーバ３１０Ａの制御部３１１Ａは、購入処理が完了したＩＣカード定期券Ｔの購入情報（識別情報、内容情報等）を定期券管理サーバ２００から受信したかどうかを判別する（ステップＳ９０１）。ステップＳ９０１における購入情報の受信は、図６のステップＳ６０１に対応する。
【００６９】
ステップＳ９０１において購入情報を受信したと判別された場合、制御部３１１Ａは、受信したＩＣカード定期券Ｔの購入情報を、記憶部３１２Ａに記憶する（ステップＳ９０２）。ステップＳ９０１において購入情報を受信していないと判別された場合、またはステップＳ９０２の送信処理が完了した場合、制御部３１１Ａは後述するステップＳ９０３の処理に移行する。
【００７０】
図１０において、自動改札機３３０Ａの制御部３３８Ａは、通信部３３２ＡによりＩＣカード定期券Ｔの読み取りが完了するまで待機する（ステップＳ１００１）。ステップＳ１００１においてＩＣカード定期券Ｔの読み取りが完了したと判定された場合、制御部３３８Ａは、読み取りが完了したＩＣカード定期券Ｔの購入情報の問合せを駅サーバ３１１Ａに送信する（ステップＳ１００２）。この問合せには、ＩＣカード定期券Ｔの識別情報が含まれる。
【００７１】
一方、駅サーバ３１０Ａの制御部３１１Ａは、ＩＣカード定期券Ｔの購入情報の問合せを受信したかどうかを判定する（ステップＳ９０３）。ステップＳ９０３において、ＩＣカード定期券Ｔの購入情報の問合せを受信したと判定されなかった場合、制御部３１１ＡはステップＳ９０１の処理に戻る。
【００７２】
ステップＳ９０３において、ＩＣカード定期券Ｔの購入情報の問合せを受信したと判定した場合、制御部３１１Ａは記憶部３１２ＡからＩＣカード定期券Ｔの購入情報を検索する（ステップＳ９０４）。この検索処理は、受信した問合せに含まれるＩＣカード定期券Ｔの識別情報と、記憶部３１２Ａ内のＩＣカード定期券Ｔの購入情報に含まれる識別情報とが一致するかどうかに基づき実行される。
【００７３】
ステップＳ９０４における検索処理が完了すると、制御部３１１Ａは自動改札機３３０Ａに検索結果を送信する（ステップＳ９０５）。検索結果には、購入処理が完了したＩＣカード定期券Ｔであるかどうかの判定結果や、購入処理が完了したＩＣカード定期券Ｔの購入情報（識別情報及び内容情報等）が含まれる。
【００７４】
一方、自動改札機３３０Ａの制御部３３８Ａは、駅サーバ３１０Ａから送信された検索結果を受信する（ステップＳ１００３）。そして、制御部３３８Ａは、受信した検索結果に基づき、ステップＳ１００１で読み取ったＩＣカード定期券Ｔは購入処理が完了した定期券であるかどうかを判定する（ステップＳ１００４）。読み取りが完了したＩＣカード定期券Ｔの識別情報が、検索結果に含まれるＩＣカード定期券Ｔの識別情報と一致する場合、読み取りが完了したＩＣカード定期券Ｔの購入処理は完了している。
【００７５】
ステップＳ１００４において、ステップＳ１００１で読み取ったＩＣカード定期券Ｔは購入処理が完了した定期券ではないと判定された場合、制御部３３８ＡはＩＣカード定期券Ｔの更新処理を行うことなく、通常のＩＣカード定期券処理を行う（ステップＳ１００７）。通常のＩＣカード定期券処理では、ＩＣカード定期券Ｔへの入場情報（入場時間、乗車駅等）の書き込み処理や、ＩＣカード定期券Ｔから読み取った内容情報に基づくゲートの開閉処理が行われる。
【００７６】
ステップＳ１００４において、ステップＳ１００１で読み取ったＩＣカード定期券Ｔは購入処理が完了した定期券であると判定された場合、制御部３３８ＡはＩＣカード定期券Ｔの内容情報を更新する（ステップＳ１００５）。ここで、制御部３３８Ａは通信部３３２Ａを制御し、検索結果として受信した購入情報に含まれている内容情報をＩＣカード定期券Ｔに上書きする。この処理によって、利用期間や利用区間といったＩＣカード定期券Ｔの内容情報が更新される。これによって、利用者は駅の券売機や駅係員窓口に並ばずにＩＣカード定期券Ｔを購入することができるため、利用者の利便性が向上する。
【００７７】
次に、制御部３３８Ａは、駅サーバ３１０Ａに更新完了情報を送信する（ステップＳ１００６）。更新完了情報は、更新処理が完了したＩＣカード定期券Ｔの識別情報と、更新が完了した旨を示す情報とを含む。更新完了情報の送信が完了すると、前述のステップＳ１００７にて通常のＩＣカード定期券処理が行われる。
【００７８】
一方、駅サーバ３１０の制御部３１１Ａは、自動改札機３３０Ａから更新完了情報を受信するまで待機する（ステップＳ９０６）。ステップＳ９０６において更新完了情報を受信したと判定された場合、制御部３１１Ａは更新処理が完了したＩＣカード定期券Ｔの購入情報を、記憶部３１２Ａから削除する（ステップＳ９０７）。この削除処理によって、ＩＣカード定期券Ｔが読み取られる度に更新処理が行われるという無駄な処理を防止することができ、制御部３１１Ａの負荷を軽減することができる。
【００７９】
ステップＳ９０７において削除処理が完了すると、制御部３１１Ａは定期券管理サーバ２００へ更新完了情報を送信し（ステップＳ９０８）、このフローチャートによる処理を終了する。ステップＳ９０８における更新完了情報の送信は、図６のステップＳ６０６に対応する。以上が、第２の実施形態におけるＩＣカード定期券Ｔの更新時の処理である。
【００８０】
以上説明した少なくともひとつの実施形態によれば、通信部３３２Ａにより読み取られたＩＣカード定期券の識別情報と、定期券管理サーバ２００から送信されたＩＣカード定期券の識別情報とが一致する場合、利用者のＩＣカード定期券に定期券管理サーバ２００から送信された内容情報を書き込むように通信部３３２Ａを制御する制御部３３８Ａを持つことにより、ＩＣカード定期券の購入時における利用者の利便性を向上することができる。
【００８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１００…コンピュータ、１０１…制御部、１０２…表示部、１０３…入力部、２００…定期券管理サーバ、２０１…制御部、２０２…記憶部、３００Ａ…駅Ａの駅システム、３００Ｂ…駅Ｂの駅システム、３００Ｃ…駅Ｃの駅システム、３１０Ａ…駅Ａの駅サーバ、３１１Ａ…制御部、３１２Ａ…記憶部、３１０Ｂ…駅Ｂの駅サーバ、３１０Ｃ…駅Ｃの駅サーバ、３３０Ａ…駅Ａの自動改札機、３３２Ａ…通信部、３３８Ａ…制御部、３３９Ａ…記憶部、３３０Ｂ…駅Ｂの自動改札機、３３０Ｃ…駅Ｃの自動改札機、３４０Ａ…駅Ａの自動改札機、３４２Ａ…通信部、３４８Ａ…制御部、３４９Ａ…記憶部、３４０Ｂ…駅Ｂの自動改札機、３４０Ｃ…駅Ｃの自動改札機、４００…決済代行サーバ
【図１】
2015164011.tif 000003
【図２】
2015164011.tif 000004
【図３】
2015164011.tif 000005
【図４】
2015164011.tif 000006
【図５】
2015164011.tif 000007
【図６】
2015164011.tif 000008
【図７】
2015164011.tif 000009
【図８】
2015164011.tif 000010
【図９】
2015164011.tif 000011
【図１０】
2015164011.tif 000012